(57)【要約】      （修正有）【課題】ポンプ付き液体容器の吸上げ管が細くても太くても迅速に対応することができ、しかも取付取外しが簡単なポンプ付き液体容器のストローク規制片ユニットを提供する。【解決手段】ポンプ付き容器１１の吸上げ管１３に取り付けてポンプの昇降ストロークを規制することにより、容器内容物のポンプ操作１回当たりの吐出量を制限するためのストローク規制片２１であって、このストローク規制片２１は前記吸上げ管の周囲に取り付ける一対の円筒状大径ピースと円筒状小径ピースとの組み合わせからなる。前記吸上げ管の径が大きいときは大径ピース２１−１だけを使用し、前記吸上げ管の径が小さいときは大径ピースの内側に小径ピース２１−２を介在させるようにして、大径ピース２１−１と小径ピース２１−２とを組み合わせて使用するようにしてストローク規制片を構成する。【選択図】図５
0003154654.tif 000002
【実用新案登録請求の範囲】
【請求項１】
ポンプ付き容器の吸上げ管に取り付けてポンプの昇降ストロークを規制することにより、容器内容物のポンプ操作１回当たりの吐出量を制限するためのストローク規制片であって、
このストローク規制片は前記吸上げ管の周囲に取り付ける一対の円筒状大径ピースと円筒状小径ピースとの組み合わせからなり、
前記吸上げ管の径が大きいときは大径ピースだけを使用し、
前記吸上げ管の径が小さいときは大径ピースの内側に小径ピースを介在させるようにして、大径ピースと小径ピースとを組み合わせて使用するようにした
ことを特徴とするポンプ付き容器のストローク規制片。
【請求項２】
前記円筒状大径ピースおよび＼または円筒状小径ピースが、
それぞれ半割りの円弧状本体を突き合わせて連結して円筒状となるように形成されており、突き合わせ端部の一方にはピンを突設し、他方にはこのピンを圧入する凹孔を設けて、両者を着脱可能に係合するようにした
ことを特徴とする請求項１記載のポンプ付き容器のストローク規制片。
【請求項３】
前記円筒状大径ピースおよび＼または円筒状小径ピースが、
それぞれ半割りの円弧状本体の突き合わせ部分に小孔を形成し、この小孔にピン状工具を差し込んで突き合わせ部分の係合を解除するようにした
ことを特徴とする請求項１記載のポンプ付き容器のストローク規制片。
【考案の詳細な説明】
【技術分野】
【０００１】
本考案は、ポンプ付き液体容器のストローク規制片ユニットに係り、特に、内容物を吐出するノズル部分のストロークを規制するストローク規制片が、ノズル部分の吸上げ管の周囲に空洞を有するタイプと、ノズル部分の吸上げ管の周囲に空洞を持たないタイプのそれぞれに対応することができるストローク規制片ユニットの提供を目的とするものである。
【背景技術】
【０００２】
従来のポンプ付き液体容器のストローク規制片としては、例えば実用新案登録第３０１９８１１号公報（特許文献１参照）のように、容器内の液体の排出量を調節する流量調節用部材が吸上げ管にはめ込み可能な切欠部を備え、かつ異なる厚さの一組の流量調節用部材を連結したものや、実開平５−０６５８６３号公報（特許文献２参照）で示されているように、ストローク規制部材が容器の上キャップに結合されたものが知られている。
【先行技術文献】
【特許文献】
【０００３】
【特許文献１】実用新案登録第３０１９８１１号公報
【特許文献２】実開平５−６５８６３号公
【考案の概要】
【考案が解決しようとする課題】
【０００４】
確かに、実用新案登録第３０１９８１１号公報（特許文献１参照）においては、容器内の液体の排出量を調節する流量調節用部材が吸上げ管にはめ込み可能な切欠部を備え、かつ異なる厚さの一組の流量調節用部材を連結したものであるが、ストローク幅の調整には異なる厚さの一組の流量調節用部材を連結することにより対応することができる。
しかしながら、ポンプ付き液体容器の吸上げ管には細いものや太いもの等のように太さにバラツキがあり、このような問題には異なる厚さの一組の流量調節用部材では対応することができない。
【０００５】
また、実開平５−０６５８６３号公報（特許文献２参照）においては、ノズルと組付体１との間にノズルのストロークを規制するストローク規制部材を位置させることにより吐出量を可変とする吐出量可変ポンプにおいて、ストローク規制部材をキャップ体として、ノズルが押上げられた状態で嵌め入れることで、ノズルのストロークをキャップ体の規制面によって規制し、吐出量を減少させることができる。また、保持面によってノズルが押下げられた状態で嵌め入れることによって押下げられた状態が保持され、いたずらや過誤による内容物の吐出が防止されて、キャップ体はポンプのプロテクターとして機能するようになっている。
しかしながら、前記ストローク規制部材をキャップ体とすると、ノズルの吸上げ管が長い場合にはストロークの規制とポンプのプロテクター機能とを両立させることができるが、ノズルの吸上げ管が短い場合にはキャップ体の上端位置がノズルの収納のために一定の高さが必要となり、それとともに充分なストロークを確保することができない。
【０００６】
この考案のポンプ付き液体容器のストローク規制片は、従来例の以上のような問題点を解消しようとするものであり、ポンプ付き液体容器の吸上げ管が細くても太くても迅速に対応することができ、しかも取付取外しが簡単なポンプ付き液体容器のストローク規制片ユニットを提供しようとするものである。
【課題を解決するための手段】
【０００７】
すなわちこの考案のポンプ付き容器のストローク規制片は、ポンプ付き容器の吸上げ管に取り付けてポンプの昇降ストロークを規制することにより、容器内容物のポンプ操作１回当たりの吐出量を制限するためのストローク規制片であって、
このストローク規制片は前記吸上げ管の周囲に取り付ける一対の円筒状大径ピースと円筒状小径ピースとの組み合わせからなり、
前記吸上げ管の径が大きいときは大径ピースだけを使用し、
前記吸上げ管の径が小さいときは大径ピースの内側に小径ピースを介在させるようにして、大径ピースと小径ピースとを組み合わせて使用するようにした
ことを特徴とするものである。
【０００８】
この考案のポンプ付き容器のストローク規制片は、前記円筒状大径ピースおよび＼または円筒状小径ピースが、
それぞれ半割りの円弧状本体を突き合わせて連結して円筒状となるように形成されており、突き合わせ端部の一方にはピンを突設し、他方にはこのピンを圧入する凹孔を設けて、両者を着脱可能に係合するようにしたことをも特徴とするものである。
【０００９】
この考案のポンプ付き容器のストローク規制片は、前記円筒状大径ピースおよび＼または円筒状小径ピースが、
それぞれ半割りの円弧状本体の突き合わせ部分に小孔を形成し、この小孔にピン状工具を差し込んで突き合わせ部分の係合を解除するようにしたことをも特徴とするものである。
【考案の効果】
【００１０】
請求項１の考案においては、このストローク規制片は前記吸上げ管の周囲に取り付ける一対の円筒状大径ピースと円筒状小径ピースとの組み合わせからなり、前記吸上げ管の径が大きいときは大径ピースだけを使用し、前記吸上げ管の径が小さいときは大径ピースの内側に小径ピースを介在させるようにして、大径ピースと小径ピースとを組み合わせて使用するようにしたことにより、吸上げ管の径がどのようなサイズであっても簡単に適合させることができる。
そしてこのストローク規制片をポンプ付き容器の吸上げ管に組み付けることにより、容器内容物のポンプ操作１回当たりの吐出量を制限して、無駄なポンプ操作１回当たりの吐出量を低減させることができ、したがって容器内容物の使用量を大幅に節約することができる。またそれによって資源の無駄遣いを減らし、またそのことに起因する環境の汚染をも低減することができるのである。
【００１１】
請求項２の考案においては、前記円筒状大径ピースおよび＼または円筒状小径ピースが、それぞれ半割りの円弧状本体を突き合わせて連結して円筒状となるように形成されており、突き合わせ端部の一方にはピンを突設し、他方にはこのピンを圧入する凹孔を設けて、両者を着脱可能に係合するようにしたことにより、吸上げ管への取付が簡単でしかも取り付けた後は外れにくいストローク規制片を提供することが可能となった。
【００１２】
請求項３に考案においては、前記円筒状大径ピースおよび＼または円筒状小径ピースが、それぞれ半割りの円弧状本体の突き合わせ部分に小孔を形成し、この小孔にピン状工具を差し込んで突き合わせ部分の係合を解除するようにしたことにより、簡単に突き合わせ部分の係合を解除することができ、しかもストローク規制片はピン状工具がないと外せないので公衆の面前で外して持ち帰るという
【図面の簡単な説明】
【００１３】
【図１】ストローク規制片を構成する円筒状大径ピースの斜視図である。
【図２】その側面図である。
【図３】ストローク規制片を構成する円筒状小径ピースの斜視図である。
【図４】円筒状大径ピースと円筒状小径ピースとを併用した状態の斜視図である。
【図５】（a）は円筒状大径ピースの使用状態を示す断面図、（ｂ）は円筒状大径ピースと円筒状小径ピースとを併用した状態を示す断面図である。
【考案を実施するための形態】
【００１４】
図１ないし図４は、この考案のポンプ付き容器のストローク規制片の１実施例を示すものであり、１１はポンプ付き容器であり、容器本体の上部にはノズル１２を上端に取り付けた吸上げ管１３を備えている。
２１はこの考案のストローク規制片であって、前記吸上げ管１３に取り付けてポンプの昇降ストロークを規制することにより、容器内容物のポンプ操作１回当たりの吐出量を制限することができる。すなわち、ノズル１２を押下げた際に、ノズル１２の下面がストローク規制片２１の上端に係合し、それ以上降下しないようになって１ストロークの長さを規制し、ポンプ操作１回当たりの吐出量が制限されるのである。
【００１５】
このストローク規制片２１は、前記吸上げ管１３の周囲に取り付ける一対の円筒状大径ピース２１−１（図１および図２）と円筒状小径ピース２１−２（図３）との組み合わせからなっており、前記吸上げ管１３の径が大きいときは図５（ａ）のように大径ピース２１−１だけを使用し、前記吸上げ管１３の径が小さいときは図５（ｂ）のように大径ピース２１−１の内側に小径ピース２１−２をはめ込むようにして、大径ピース２１−１と小径ピース２１−２とを組み合わせて使用するのである。
【００１６】
この考案のポンプ付き容器のストローク規制片２１は、前記円筒状大径ピース２１−１および円筒状小径ピース２１−２が、それぞれ半割りの円弧状本体２２，２２を突き合わせて連結して円筒状となるように形成されている。そして、突き合わせ端部の一方にはピン２３を突設し、他方にはこのピン２３を圧入する凹孔２４を設けて、両者を係合することで着脱可能にしたのである。
なお、前記円筒状大径ピース２１−１および円筒状小径ピース２１−２においてはピン２３および凹孔２４の対が上下に所定の間隔で一対形成されている。もちろん、前記円筒状大径ピース２１−１および円筒状小径ピース２１−２において、ピン２３および凹孔２４を１個のみ形成することもできる。
【００１７】
前記円筒状大径ピース２１−１は、図１および図２に示すように半割りの円弧状本体２２，２２のほぼ中央の外面が切り落とされた形状からなっており。その側周面には帯状の溝が形成されている。前記切り落とし部分２６の平滑面には商標や商品番号、素材等の表示２７が施されている。
【００１８】
また、この考案のポンプ付き容器のストローク規制片２１は、前記円筒状大径ピース２１−１および円筒状小径ピース２１−２が、それぞれ半割りの円弧状本体２２，２２の突き合わせ部分に小孔２５を形成したものであり、この小孔２５にピン状工具を差し込んで突き合わせ部分を押し開いて、その係合を解除するようにしたものである。
前記小孔２５は前記円筒状大径ピース２１−１および円筒状小径ピース２１−２においては一対のピン２３および凹孔２４の中間に形成されているが、前記円筒状大径ピース２１−１および円筒状小径ピース２１−２において、ピン２３および凹孔２４の対の上部もしくは下部に形成することもできる。
【００１９】
この考案のポンプ付き容器のストローク規制片２１の使用に際しては、前記吸上げ管１３の径が大きいときは図５（ａ）のように大径ピース２１−１だけを使用し、半割りの円弧状本体２２，２２の突き合わせ部分のピン２３を凹孔２４に圧入して両者を係合する。
前記吸上げ管１３の径が小さいときは図５（ｂ）のように大径ピース２１−１の内側に小径ピース２１−２をはめ込むようにして、大径ピース２１−１と小径ピース２１−２とを組み合わせて使用する。
【００２０】
この考案のポンプ付き容器のストローク規制片２１の分解に際しては、大径ピース２１−１と小径ピース２１−２とを構成する半割りの円弧状本体２２，２２の突き合わせ部分に形成した小孔２５に、別途用意したピン状工具（図示せず）を差し込んで突き合わせ部分を押し開くようにして、両者の係合を解除すればよい。
【産業上の利用可能性】
【００２１】
この考案のポンプ付き容器のストローク規制片は、ポンプ付き容器であればどのような容器にも使用することができ、例えばシャンプーやリンス、ボディソープ等の身体の清浄のために使用する洗浄剤のみならず、台所用の洗剤、手などの消毒剤等の幅広い用途に適用することができる。
【符号の説明】
【００２２】
１１  ポンプ付き容器
１２  ノズル
１３  吸上げ管
２１  ストローク規制片
２１−１  円筒状大径ピース
２１−２  円筒状小径ピース
２２  半割りの円弧状本体
２３  ピン
２４  凹孔
２５  小孔
２６  切り落とし部分
２７  表示
【図１】
0003154654.tif 000003
【図２】
0003154654.tif 000004
【図３】
0003154654.tif 000005
【図４】
0003154654.tif 000006
【図５】
0003154654.tif 000007